(57)【要約】【課題】目的に適合する血管の位置を表示することができる血管位置表示装置及び血管位置表示方法を提供する。【解決手段】血管位置表示装置１は、対象部位２の解析用画像を画像処理して、対象部位２に含まれる血管の位置及び形状を含む血管情報を取得する画像処理装置３１と、血管情報から得られるパラメータが一定の条件を満たす血管を適合血管として選別する選別装置３２と、適合血管と少なくとも長さを対応させた表示線を含む投影画像を生成する画像生成装置３３と、適合血管の位置に表示線の位置を対応させて投影画像を対象部位に投影する投影装置４０とを備える。【選択図】図１
2020185198.tif 000002
【特許請求の範囲】
【請求項１】
対象部位の解析用画像を画像処理して、前記対象部位に含まれる血管の位置及び形状を含む血管情報を取得する画像処理装置と、
前記血管情報から得られるパラメータが一定の条件を満たす血管を適合血管として選別する選別装置と、
前記適合血管と少なくとも長さを対応させた表示線を含む投影画像を生成する画像生成装置と、
前記適合血管の位置に前記表示線の位置を対応させて前記投影画像を前記対象部位に投影する投影装置と
を備えることを特徴とする血管位置表示装置。
【請求項２】
前記選別装置が、血管に針の穿刺しやすさを示す前記パラメータを用いて前記適合血管を選別することを特徴とする請求項１に記載の血管位置表示装置。
【請求項３】
前記選別装置が、血管の直進性、血管の延伸方向、血管の長さ、及び血管の太さの少なくともいずれかを前記パラメータに用いて前記適合血管を選別することを特徴とする請求項２に記載の血管位置表示装置。
【請求項４】
前記画像処理装置が、前記解析用画像の二値化によって血管が下方にある領域をその他の領域と区別して、前記血管情報を取得することを特徴とする請求項１乃至３のいずれか１項に記載の血管位置表示装置。
【請求項５】
前記選別装置が、前記血管情報から得られる前記パラメータを判定値と比較して前記適合血管を選別することを特徴とする請求項１乃至４のいずれか１項に記載の血管位置表示装置。
【請求項６】
前記選別装置が、前記パラメータが前記一定の条件を満たす血管の画像をデータベース化した血管画像情報を用いて、前記適合血管を選別することを特徴とする請求項１乃至４のいずれか１項に記載の血管位置表示装置。
【請求項７】
前記対象部位に特定の波長の照射光を照射する照明装置と、
前記対象部位を撮影して前記解析用画像を取得する撮像装置と
を更に備え、
前記特定の波長が、前記照射光が前記対象部位に照射されることにより、前記照射光が照射されない場合よりも血管と他の領域との境界が明確である前記解析用画像が前記撮像装置によって取得されるように選択されていることを特徴とする請求項１乃至６のいずれか１項に記載の血管位置表示装置。
【請求項８】
前記照射光が近赤外線であることを特徴とする請求項７に記載の血管位置表示装置。
【請求項９】
対象部位の解析用画像を画像処理して、前記対象部位に含まれる血管の位置及び形状を含む血管情報を取得するステップと、
前記血管情報から得られるパラメータが一定の条件を満たす血管を適合血管として選別するステップと、
前記適合血管と少なくとも長さを対応させた表示線を含む投影画像を生成するステップと、
前記適合血管の位置に前記表示線の位置を対応させて前記投影画像を前記対象部位に投影するステップと
を含むことを特徴とする血管位置表示方法。
【請求項１０】
血管に針の穿刺しやすさを示す前記パラメータを用いて前記適合血管を選別することを特徴とする請求項９に記載の血管位置表示方法。
【請求項１１】
血管の直進性、血管の延伸方向、血管の長さ、及び血管の太さの少なくともいずれかを前記パラメータに用いて前記適合血管を選別することを特徴とする請求項１０に記載の血管位置表示方法。
【請求項１２】
前記解析用画像の二値化によって血管が下方にある領域をその他の領域と区別して、前記血管情報を取得することを特徴とする請求項９乃至１１のいずれか１項に記載の血管位置表示方法。
【請求項１３】
前記血管情報から得られる前記パラメータを判定値と比較して前記適合血管を選別することを特徴とする請求項９乃至１２のいずれか１項に記載の血管位置表示方法。
【請求項１４】
前記パラメータが前記一定の条件を満たす血管の画像をデータベース化した血管画像情報を用いて、前記適合血管を選別することを特徴とする請求項９乃至１２のいずれか１項に記載の血管位置表示方法。
【請求項１５】
前記対象部位に特定の波長の照射光を照射しながら前記対象部位を撮影して前記解析用画像を取得するステップを更に含み、
前記特定の波長が、前記照射光が前記対象部位に照射されることにより、前記照射光が照射されない場合よりも血管と他の領域との境界が明確である前記解析用画像が取得されるように選択されていることを特徴とする請求項９乃至１４のいずれか１項に記載の血管位置表示方法。
【請求項１６】
前記照射光が近赤外線であることを特徴とする請求項１５に記載の血管位置表示方法。
【発明の詳細な説明】
【技術分野】
【０００１】
本発明は、血管の位置を表示する血管位置表示装置及び血管位置表示方法に関する。
【背景技術】
【０００２】
人体などの一部を撮影した画像から得られた血管の位置を表示するシステムが開発されている（特許文献１、２参照。）。例えば、近赤外線を吸収するヘモグロビンの性質を利用して、近赤外線を照射した部分を赤外線カメラで撮影して血管を可視化する方法が用いられている。
【先行技術文献】
【特許文献】
【０００３】
【特許文献１】特許第４５５５５３４号公報
【特許文献２】特許第６１２７２０７号公報
【発明の概要】
【発明が解決しようとする課題】
【０００４】
しかしながら、血管を可視化するだけでなく目的に適合する血管の位置を表示する有効な技術が開発されていない。例えば、採血するために針の穿刺に適した血管を表示する方法などが望まれている。
【０００５】
上記問題点に鑑み、本発明は、目的に適合する血管の位置を表示することができる血管位置表示装置及び血管位置表示方法を提供することを目的とする。
【課題を解決するための手段】
【０００６】
本発明の一態様によれば、対象部位の解析用画像を画像処理して、対象部位に含まれる血管の位置及び形状を含む血管情報を取得する画像処理装置と、血管情報から得られるパラメータが一定の条件を満たす血管を適合血管として選別する選別装置と、適合血管と少なくとも長さを対応させた表示線を含む投影画像を生成する画像生成装置と、適合血管の位置に表示線の位置を対応させて投影画像を対象部位に投影する投影装置とを備える血管位置表示装置が提供される。
【０００７】
本発明の他の態様によれば、対象部位の解析用画像を画像処理して、対象部位に含まれる血管の位置及び形状を含む血管情報を取得するステップと、血管情報から得られるパラメータが一定の条件を満たす血管を適合血管として選別するステップと、適合血管と少なくとも長さを対応させた表示線を含む投影画像を生成するステップと、適合血管の位置に表示線の位置を対応させて投影画像を対象部位に投影するステップとを含む血管位置表示方法が提供される。
【発明の効果】
【０００８】
本発明によれば、目的に適合する血管の位置を表示することができる血管位置表示装置及び血管位置表示方法を提供できる。
【図面の簡単な説明】
【０００９】
【図１】本発明の第１の実施形態に係る血管位置表示装置の構成を示す模式図である。
【図２】対象部位に含まれる血管の例を示す模式図である。
【図３】本発明の第１の実施形態に係る血管位置表示装置により作成される血管の近似線の例を示す模式図である。
【図４】本発明の第１の実施形態に係る血管位置表示装置により選別された血管を示す模式図である。
【図５】本発明の第１の実施形態に係る血管位置表示装置が作成する血管の表示線の例を示す模式図である。
【図６】本発明の第１の実施形態に係る血管位置表示装置が生成する投影画像の例を示す模式図である。
【図７】投影画像において表示線を太線化した例を示す模式図である。
【図８】本発明の第１の実施形態に係る血管位置表示装置が生成した投影画像を対象部位に投影した例を示す模式図である。
【図９】本発明の第１の実施形態に係る血管位置表示方法を説明するためのフローチャートである。
【図１０】本発明の第２の実施形態に係る血管位置表示装置の構成を示す模式図である。
【図１１】本発明の第２の実施形態に係る血管位置表示方法を説明するためのフローチャートである。
【発明を実施するための形態】
【００１０】
図面を参照して、本発明の実施形態を説明する。以下の図面の記載において、同一又は類似の部分には同一又は類似の符号を付している。ただし、図面は模式的なものであることに留意すべきである。また、以下に示す実施形態は、この発明の技術的思想を具体化するための装置や方法を例示するものであって、この発明の実施形態は、構成部品の構造、配置などを下記のものに特定するものでない。この発明の実施形態は、特許請求の範囲において、種々の変更を加えることができる。
【００１１】
（第１の実施形態）
本発明の第１の実施形態に係る血管位置表示装置は、被検体の対象部位に含まれる血管の中から、特定の目的に適合する血管の位置を表示する。以下では、図１に示すように、人体の前腕の一部が対象部位２である場合について例示的に説明する。図１に示す血管位置表示装置１は、照明装置１０、撮像装置２０、演算装置３０及び投影装置４０を備える。演算装置３０は、画像処理装置３１、選別装置３２及び画像生成装置３３を有する。
【００１２】
照明装置１０は、対象部位２に特定の波長の照射光Ｌを照射する。撮像装置２０は、血管周辺の領域を含む対象部位２を撮影して、対象部位２の解析用画像を取得する。演算装置３０は、解析用画像に基づき、対象部位２に含まれる血管の中から一定の条件を満たす血管を、「適合血管」として選別する。更に、演算装置３０は、適合血管の表示線を含む投影画像を生成する。演算装置３０によって生成された投影画像は、投影装置４０によって対象部位２に投影される。以下、血管位置表示装置１の詳細について説明する。
【００１３】
照明装置１０から照射される照射光Ｌの波長は、照射光Ｌが対象部位２に照射されることにより、照射光Ｌが照射されない場合よりも血管と他の領域との境界が明確である解析用画像が撮像装置２０によって取得されるように選択される。例えば、近赤外線を吸収するヘモグロビンの性質を利用して、照射光Ｌとして波長が８００ｎｍ〜９００ｎｍ程度の近赤外線を使用してもよい。近赤外線を照射光Ｌに使用した場合、撮像装置２０には赤外線カメラが好適に使用される。その結果、血管が黒く写り、皮膚などのその他の部分が白く写った解析用画像が得られる。
【００１４】
ただし、照射光Ｌが照射されていない場合でも血管と他の領域との境界が明確である解析用画像を取得できる場合には、解析用画像を取得する際に対象部位２に照射光Ｌを照射することは必ずしも必要でない。
【００１５】
撮像装置２０によって取得された対象部位２の解析用画像は、画像処理装置３１に送信される。画像処理装置３１は、解析用画像を画像処理して、対象部位２に含まれる血管の位置及び形状を含む血管情報を取得する。
【００１６】
図２に、対象部位２に含まれる血管を画像処理して得られる血管像の例を示す。図２に示した例では、血管２０１〜２０５の血管情報が取得される。対象部位２で皮膚の下に存在していても血管像が得られていない部分もあり得る。これらの部分は、照射光Ｌが弱かった部分、撮像装置２０の光検出器の感度が低い部分、深い位置にあるなどの理由で血液による光吸収の影響が強くでない部分などが考えられる。なお、血管に分岐がある場合には、画像処理装置３１は、分岐する位置から解析用画像で確認できる端部までを一つの血管として、血管情報を取得する。つまり、分岐する位置から個々の端部までを一つの血管とし、それぞれの血管の血管情報が取得される。
【００１７】
画像処理装置３１は、例えば、血管が下方にある領域（以下、「血管領域」という。）と血管が下方にないその他の領域（以下、「その他領域」という。）との輝度の差に基づいて解析用画像の二値化を行い、血管領域とその他領域を区別して、血管情報を取得する。血管領域では、血管による光の吸収で血管像が暗く見える。このとき、解析用画像について、血管領域とその他領域とでコントラストをつける画像処理をしてから、解析用画像の二値化を行ってもよい。
【００１８】
選別装置３２は、特定の目的のために一定の範囲にあることが有効なパラメータ（以下において「選別パラメータ」という。）を選別の基準に用いて、解析用画像に含まれる血管像から選別パラメータが一定の条件を満たす血管像を選別する。具体的には、選別装置３２は、血管情報から得られる選別パラメータを判定値と比較し、選別パラメータが判定値を満たす血管像を選別する。
【００１９】
判定値と比較する選別パラメータは、血管を選別する目的に応じて選択される。例えば、針を穿刺しやすい血管を選別する目的の場合に、針の穿刺しやすさを示すパラメータが選別パラメータとして使用される。例えば、血管の直進性、血管の延伸方向、血管の長さ、血管の太さなどのパラメータが、判定値と比較される。これは、以下の理由による。
【００２０】
即ち、血管の直進性が低いほど、針を血管に穿刺することが難しい。したがって、直進性が高い血管ほど好ましい。また、血管の部位によっては、特定の方向からの方が、他の方向からよりも、針を穿刺しやすい場合がある。例えば、前腕に穿刺する場合には、手首から肘に向けた方向が穿刺しやすい方向であることが多い。このように、血管の延伸方向が特定の方向であることが好ましい場合がある。また、血管が短すぎると穿刺が難しいため、血管が一定以上の長さであることが好ましい。一方、血管が太いほど穿刺することが容易であるため、血管の太さが一定以上であることが好ましい。
【００２１】
上記のように、選別装置３２は、血管を選別する目的に応じた選別パラメータを、その目的に適合するために設定した判定値と比較する。そして、選別装置３２は、選別パラメータが判定値を満たす血管を適合血管として選別する。
【００２２】
以下に、図２に示した血管２０１〜２０５から針を穿刺しやすい血管を特定するために、選別装置３２が針の穿刺しやすさを示すパラメータを選別パラメータとして血管を選別する例を説明する。ここで、血管の直進性、血管の延伸方向、血管の長さ、血管の太さを選別パラメータとする。
【００２３】
血管の直進性を選別パラメータとする場合に、選別装置３２は、図３に示すように血管像２０１〜２０５のそれぞれについて近似線Ｃ１〜Ｃ５を作成する。例えば、選別装置３２は、二値化した解析用画像の血管像２０１〜２０５を細線化により幅を１ピクセルにして、最小二乗法などを用いて近似線Ｃ１〜Ｃ５を作成する。そして、選別装置３２は、近似線Ｃ１〜Ｃ５のそれぞれについて得られる決定係数（Ｒ2）を判定値と比較する。決定係数が１に近い血管ほど直進性が高く、穿刺しやすい。このため、決定係数の判定値を、例えば０．７以上（判定条件１）とする。
【００２４】
血管の延伸方向を選別パラメータとする場合に、選別装置３２は、上記の近似線を用いて血管像の延伸方向を特定する。近似線の延伸方向と特定の目的に適した方向とのなす角度（以下、「判定角度」という。）が小さい血管像ほど好ましい。このため、判定角度の判定値を、例えば最小値を−２０度、最大値を＋２０度（判定条件２）とする。なお、目的に適する方向と解析用画像の水平方向が平行になるように解析用画像を取得し、血管像の延伸方向を特定してもよい。
【００２５】
血管の長さを選別パラメータとする場合は、血管像の解析用画像に表れる一方の端部から他方の端部までの距離を血管の長さとする。例えば、血管像に近似された幅が１ピクセルの近似線のピクセル数を血管の長さとしてもよい。長い血管ほど、穿刺しやすい。例えば、血管の長さの判定値の最小値を１０ｍｍ（判定条件３）とする。なお、血管が長すぎると不都合が生じる場合には、血管の長さの判定値に最大値を設けてもよい。
【００２６】
血管の太さを選別パラメータとする場合は、解析用画像に表れる血管像の幅について判定値と比較する。或いは、上記で作成した近似線を利用して血管像の幅を算出してもよい。即ち、近似線から周囲に垂線を引き、この垂線と血管像の重なった部分の長さを血管の太さとする。太い血管ほど、穿刺しやすい。例えば、血管の太さの判定値の最小値を２ｍｍ（判定条件４）とする。なお、血管が太すぎると不都合が生じる場合には、血管の太さの判定値に最大値を設けてもよい。血管の太さが変化する場合は、最も太い部分若しくは細い部分をその血管の太さとしてもよいし、平均値を血管の太さとしてもよい。
【００２７】
選別装置３２は、解析用画像に含まれるすべての血管像について、選別パラメータを判定値と比較する。そして、選別パラメータが判定値を満足する血管を適合血管として選別する。例えば、対象部位２に含まれる血管像２０１〜２０５のそれぞれについて、判定条件１〜４のすべてを満足するか否かを判定する。ただし、判定条件１〜４のすべてではなく、特に重要な選別パラメータのみを基準にして適合血管を選別してもよい。例えば、血管の直進性、血管の延伸方向、血管の長さ、及び血管の太さの少なくともいずれかを選別パラメータに用いて、適合血管を選別してもよい。
【００２８】
上記のようにして、選別装置３２は、選別パラメータが一定の条件を満たす血管を、適合血管として選別する。図４に、図２に示した血管像のうち、血管像２０１と血管像２０４が適合血管として選別された例を示す。
【００２９】
画像生成装置３３は、選別装置３２により選別された適合血管について、適合血管と少なくとも長さを対応させた表示線を含む投影画像を生成する。以下に、図４に示した適合血管の表示線を含む投影画像を生成する例を説明する。
【００３０】
まず、画像生成装置３３が、解析用画像における血管像２０１と血管像２０４とそれぞれの同等の長さの表示線Ｄ２０１と表示線Ｄ２０４を作成する。例えば直進性の高い選別血管について直線状の表示線が作成されるなど、表示線は実際の血管の形状を単純化して作成される。例えば、湾曲部分などを含む形状の血管像を、曲線若しくは連結した複数の直線を組み合わせた表示線に単純化してもよい。そして、画像生成装置３３は、図５に示すように、血管像２０１と血管像２０４に表示線Ｄ２０１と表示線Ｄ２０４を重ねた投影画像２００を生成する。次いで、画像生成装置３３は、図６に示すように投影画像２００から血管像２０１と血管像２０４を消去し、表示線Ｄ２０１と表示線Ｄ２０４を投影画像２００に残す。
【００３１】
その後、画像生成装置３３は、図７に示すように、投影画像２００において表示線Ｄ２０１と表示線Ｄ２０４を任意の幅に太線化する。太線化により、表示線Ｄ２０１と表示線Ｄ２０４の目視が容易になる。なお、太線化では、例えば目視が容易な程度に表示線の幅を広くする。また、太線化しなくても目視が容易であれば、表示線を太線化しなくてもよい。
【００３２】
以上により、画像生成装置３３による投影画像の生成が完了する。画像生成装置３３は、投影画像を投影装置４０に送信する。
【００３３】
投影装置４０は、図８に示すように、画像生成装置３３から送信された投影画像を、適合血管の位置に表示線の位置を対応させて、対象部位２に投影する。図８は、表示線Ｄ２０１と表示線Ｄ２０４を含む投影画像を、表示線Ｄ２０１を血管像２０１の血管に重ね、表示線Ｄ２０４を血管像２０４の血管に重ねて、対象部位２に投影した例である。上記のように、血管位置表示装置１によれば、血管の形状を単純化した表示線が、血管の位置と重ねて対象部位２に表示される。
【００３４】
図９に、血管位置表示装置１を用いた血管位置表示方法における一連の処理を説明するフローチャートを示す。
【００３５】
図９のフローチャートのステップＳ１１０において、撮像装置２０によって対象部位２の解析用画像を取得する。このとき、照明装置１０によって対象部位に特定の波長の照射光Ｌを照射してもよい。
【００３６】
ステップＳ１２０において、画像処理装置３１が解析用画像を画像処理して、対象部位２に含まれる血管の位置及び形状を含む血管情報を取得する。そして、ステップＳ１３０において、選別装置３２が、血管情報から得られる選別パラメータを判定値と比較し、選別パラメータが一定の条件を満たす血管を適合血管として選別する。ステップＳ１４０において、画像生成装置３３が、適合血管と少なくとも長さを対応させた適合血管の表示線を含む投影画像を生成する。
【００３７】
そして、ステップＳ１５０において、投影装置４０が、適合血管の位置に表示線の位置を対応させて投影画像を対象部位２に投影する。
【００３８】
以上に説明したように、第１の実施形態に係る血管位置表示装置１では、適合血管を単純化した表示線が適合血管と重ねて対象部位２に投影される。したがって、血管位置表示装置１によれば、選別パラメータが一定の条件を満たす血管の位置が明確且つ単純化されて対象部位２に表示されるため、目的に適合する血管の特定が容易である。
【００３９】
（第２の実施形態）
図１０に、第２の実施形態に係る血管位置表示装置１の構成を示す。図１０に示した血管位置表示装置１は、選別パラメータが一定の条件を満たす血管の画像をデータベース化した血管画像情報を記憶した記憶装置５０を更に備える。図１０に示した血管位置表示装置１のその他の構成については、図１に示す第１の実施形態と同様である。
【００４０】
血管画像情報は、選別パラメータが特定の目的のために有効な一定の範囲にあることが確認された様々な形状の血管の画像情報を、目的ごとにデータベース化したものである。選別装置３２は、データベース化された血管画像情報を参照して、対象部位２の解析用画像に含まれる血管像の画像を、選別パラメータが所定の目的に有効な一定の範囲にあることが確認された血管（以下、「適正血管」という。）の画像と比較する。そして、選別装置３２は、解析用画像に含まれる血管像から、その画像が適正血管のいずれかの画像と一致する血管像の血管を適合血管として選別する。
【００４１】
第２の実施形態に係る血管位置表示装置１は、適正血管をデータベース化した血管画像情報を用いて適合血管を選別する点が、選別パラメータを判定値と比較して適合血管を選別する第１の実施形態に係る血管位置表示装置１と異なる。他は、第１の実施形態と実質的に同様であり、重複した記載を省略する。
【００４２】
図１１に、第２の実施形態に係る血管位置表示装置１を用いた血管位置表示方法における一連の処理を説明するフローチャートを示す。
【００４３】
図１１のフローチャートのステップＳ１１０とステップＳ１２０の処理により、図９に示したフローチャートのステップＳ１１０とステップＳ１２０の処理と同様にして、対象部位２に含まれる血管の血管情報を取得する。そして、図１１のステップＳ１３５において、選別装置３２が、血管画像情報を用いて、解析用画像に含まれる血管像から適合血管を選別する。
【００４４】
その後、図１１のステップＳ１４０とステップＳ１５０の処理において、図９のステップＳ１４０とステップＳ１５０の処理と同様に、適合血管の表示線を含む投影画像を生成し、この投影画像を対象部位２に投影する。
【００４５】
第２の実施形態に係る血管位置表示装置１では、目的ごとに多数の適正血管の画像情報をデータベース化することにより、人工知能（ＡＩ）技術などを用いて適合血管を選別することも可能である。
【００４６】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。
【００４７】
例えば、血管位置表示装置１の演算装置３０が、対象部位２の撮影場所から離れた場所に設置されていてもよい。
【００４８】
このように、本発明はここでは記載していない様々な実施形態などを含むことはもちろんである。
【符号の説明】
【００４９】
１…血管位置表示装置
２…対象部位
１０…照明装置
２０…撮像装置
３０…演算装置
３１…画像処理装置
３２…選別装置
３３…画像生成装置
４０…投影装置
５０…記憶装置
２０１〜２０５…血管
【図１】
2020185198.tif 000003
【図２】
2020185198.tif 000004
【図３】
2020185198.tif 000005
【図４】
2020185198.tif 000006
【図５】
2020185198.tif 000007
【図６】
2020185198.tif 000008
【図７】
2020185198.tif 000009
【図８】
2020185198.tif 000010
【図９】
2020185198.tif 000011
【図１０】
2020185198.tif 000012
【図１１】
2020185198.tif 000013